(57)【要約】【課題】映像信号が入力される入力端子を複数備えつつ、消費電力を低減可能なヘッドマウントディスプレイ、表示制御装置、表示プログラム、及び表示方法を提供する。【解決手段】ヘッドマウントディスプレイは、入力端子を有する第１映像処理部、入力端子を有する第２映像処理部、及び液晶ディスプレイを備える。ヘッドマウントディスプレイのＣＰＵは、第１映像処理部及び第２映像処理部のうち一方の映像処理部が処理する映像信号の映像を、液晶ディスプレイ表示させる。この場合、ＣＰＵは、液晶ディスプレイに映像を表示させる前に、第１映像処理部及び第２映像処理部のうち他方の映像処理部を、給電量が低下された状態に設定する（Ｓ５７）。【選択図】図５
2016063275.tif 000002
【特許請求の範囲】
【請求項１】
デジタルの映像信号が入力される第１入力端子を有し、前記第１入力端子に入力された映像信号を処理する第１映像処理部と、
アナログの映像信号が入力される第２入力端子を有し、前記第２入力端子に入力された映像信号を処理する第２映像処理部と、
前記第１映像処理部及び前記第２映像処理部を、映像信号を処理可能な状態である第１稼働状態に設定する第１稼働手段と、
前記第１稼働手段により前記第１映像処理部及び前記第２映像処理部が前記第１稼働状態に設定された場合、前記第１映像処理部及び前記第２映像処理部の少なくとも一方の映像処理部に、前記映像信号が入力されているかを判断する第１判断手段と、
前記第１判断手段によって、前記映像信号が入力されているかが判断された場合、前記第１判断手段による判断結果に応じて、前記第１映像処理部及び前記第２映像処理部のうち何れか一方の映像処理部を、特定映像処理部に設定する設定手段と、
前記第１映像処理部及び前記第２映像処理部のうち他方の映像処理部を、前記映像信号の処理を停止している状態である第１停止状態に設定する第１停止手段とを含む制御部と、
頭部に装着可能であって、前記特定映像処理部から出力された前記映像信号に基づく映像を表示する表示ユニットと、
を備えることを特徴とするヘッドマウントディスプレイ。
【請求項２】
前記制御部は、さらに、前記第１稼働手段が前記第１映像処理部及び前記第２映像処理部を前記第１稼働状態に設定する前における前記第１映像処理部が、前記第１稼働状態であるかを判断する第２判断手段を含み、
前記第１判断手段は、
前記第２判断手段によって前記第１映像処理部が前記第１稼働状態でないと判断された場合、前記第１稼働手段が前記第１映像処理部及び前記第２映像処理部を前記第１稼働状態に設定してから第１所定時間が経過したときに、前記少なくとも一方の映像処理部に前記映像信号が入力されているかを判断し、
前記第２判断手段によって前記第１映像処理部が前記第１稼働状態であると判断された場合、前記第１稼働手段が前記第１映像処理部及び前記第２映像処理部を前記第１稼働状態に設定してから第２所定時間が経過したときに、前記少なくとも一方の映像処理部に前記映像信号が入力されているかを判断し、
前記第１所定時間は、前記第２所定時間よりも長いことを特徴とする請求項１に記載のヘッドマウントディスプレイ。
【請求項３】
前記第１停止手段は、前記設定手段によって前記何れか一方の映像処理部が前記特定映像処理部に設定されてから第３所定時間が経過したときに、前記他方の映像処理部を前記第１停止状態に設定することを特徴とする請求項２に記載のヘッドマウントディスプレイ。
【請求項４】
前記制御部は、さらに、前記第１停止手段が前記他方の映像処理部を前記第１停止状態に設定する前に、前記設定手段によって設定された前記特定映像処理部を、前記何れか一方の映像処理部から前記他方の映像処理部に変更する変更手段を含み、
前記第１停止手段は、前記変更手段が前記特定映像処理部を前記何れか一方の映像処理部から前記他方の映像処理部に変更する場合、前記他方の映像処理部を前記第１停止状態に設定しないことを特徴とする請求項３に記載のヘッドマウントディスプレイ。
【請求項５】
前記表示ユニットは、
前記映像を表示する表示部と、
前記表示部を制御して、前記映像を前記表示部に表示させる表示制御部と
を備え、
前記制御部は、さらに、
前記設定手段が前記何れか一方の映像処理部を前記特定映像処理部に設定する前に、前記表示制御部を、前記表示部の制御を停止している状態である第２停止状態に設定する第２停止手段と、
前記設定手段が前記何れか一方の映像処理部を前記特定映像処理部に設定した後に、前記表示制御部を、前記表示部を制御可能な状態である第２稼働状態に設定する第２稼働手段と
を備えたことを特徴とする請求項１から４の何れかに記載のヘッドマウントディスプレイ。
【請求項６】
前記表示ユニットは、入力される映像信号を処理する第３映像処理部を備え、
前記特定映像処理部から出力された前記映像信号を処理し、前記第３映像処理部に対して、処理した前記映像信号及び同期信号を送信する第４映像処理部をさらに備え、
前記制御部は、さらに、
前記設定手段が前記一方の映像処理部を前記特定映像処理部に設定する前に、前記第４映像処理部を、前記同期信号の送信を停止している状態である第３停止状態に設定する第３停止手段と、
前記設定手段が前記何れか一方の映像処理部を前記特定映像処理部に設定した後に、前記第４映像処理部を、前記同期信号を送信可能な状態である第３稼働状態に設定する第３稼働手段と
を含むことを特徴とする請求項５に記載のヘッドマウントディスプレイ。
【請求項７】
前記表示ユニットは、前記表示部、前記表示制御部、及び前記第３映像処理部を内蔵する第１筐体をさらに備え、
前記第１映像処理部、前記第２映像処理部、及び前記第４映像処理部を内蔵する第２筐体と、
前記第１筐体と前記第２筐体とを接続し、前記第３映像処理部が処理した映像信号を前記第４映像処理部に伝達するケーブルと
をさらに備えたことを特徴とする請求項６に記載のヘッドマウントディスプレイ。
【請求項８】
デジタルの映像信号が入力される第１入力端子を有し、前記第１入力端子に入力された映像信号を処理する第１映像処理部と、
アナログの映像信号が入力される第２入力端子を有し、前記第２入力端子に入力された映像信号を処理する第２映像処理部と、
前記第１映像処理部及び前記第２映像処理部を、前記映像信号を処理可能な状態である第１稼働状態に設定する第１稼働手段と、
前記第１稼働手段により前記第１映像処理部及び前記第２映像処理部が前記第１稼働状態に設定された場合、前記第１映像処理部及び前記第２映像処理部の少なくとも一方の映像処理部に、前記映像信号が入力されているかを判断する第１判断手段と、
前記第１判断手段によって、前記映像信号が入力されているかが判断された場合、前記第１判断手段による判断結果に応じて、前記第１映像処理部及び前記第２映像処理部のうち一方の映像処理部を、頭部に装着可能であって、且つ入力される映像信号に基づく映像を表示する表示ユニットに出力するための映像信号を処理する特定映像処理部に設定する設定手段と、
前記第１映像処理部及び前記第２映像処理部のうち他方の映像処理部を、前記映像信号の処理を停止している状態である第１停止状態に設定する第１停止手段と
を含むことを特徴とする表示制御装置。
【請求項９】
デジタルの映像信号が入力される第１入力端子を有し、前記第１入力端子に入力された映像信号を処理する第１映像処理部と、
アナログの映像信号が入力される第２入力端子を有し、前記第２入力端子に入力された映像信号を処理する第２映像処理部とを備えた表示制御装置のコンピュータに、
前記第１映像処理部及び前記第２映像処理部を、前記映像信号を処理可能な状態である第１稼働状態に設定する第１稼働ステップと、
前記第１稼働ステップにより前記第１映像処理部及び前記第２映像処理部が前記第１稼働状態に設定された場合、前記第１映像処理部及び前記第２映像処理部の少なくとも一方の映像処理部に、前記映像信号が入力されているかを判断する第１判断ステップと、
前記第１判断ステップによって、前記映像信号が入力されているかが判断された場合、前記第１判断ステップによる判断結果に応じて、前記第１映像処理部及び前記第２映像処理部のうち一方の映像処理部を、頭部に装着可能であって、且つ入力される映像信号に基づく映像を表示する表示ユニットに出力するための映像信号を処理する特定映像処理部に設定する設定ステップと、
前記第１映像処理部及び前記第２映像処理部のうち、他方の映像処理部を、前記映像信号の処理を停止している状態である第１停止状態に設定する第１停止ステップと
を実行させるための表示プログラム。
【請求項１０】
デジタルの映像信号が入力される第１入力端子を有し、前記第１入力端子に入力された前記映像信号を処理する第１映像処理部と、
アナログの映像信号が入力される第２入力端子を有し、前記第２入力端子に入力された前記映像信号を処理する第２映像処理部とを備えた表示制御装置によって実行される表示方法であって、
前記第１映像処理部及び前記第２映像処理部を、前記映像信号を処理可能な状態である第１稼働状態に設定する第１稼働ステップと、
前記第１稼働ステップにより前記第１映像処理部及び前記第２映像処理部が前記第１稼働状態に設定された場合、前記第１映像処理部及び前記第２映像処理部のうち少なくとも一方の映像処理部に、前記映像信号が入力されているかを判断する第１判断ステップと、
前記第１判断ステップによって、前記映像信号が入力されているかが判断された場合、前記第１判断ステップによる判断結果に応じて、前記第１映像処理部及び前記第２映像処理部のうち一方の映像処理部を、頭部に装着可能であって、且つ入力される映像信号に基づく映像を表示する表示ユニットに出力するための映像信号を処理する特定映像処理部に設定する設定ステップと、
前記第１映像処理部及び前記第２映像処理部のうち、他方の映像処理部を、前記映像信号の処理を停止している状態である第１停止状態に設定する第１停止ステップと
を含むことを特徴とする表示方法。
【発明の詳細な説明】
【技術分野】
【０００１】
本発明は、ヘッドマウントディスプレイ、表示制御装置、表示プログラム、及び表示方法に関する。
【背景技術】
【０００２】
従来、映像信号が入力される入力端子を複数備えたヘッドマウントディスプレイ（Head Mounted Display、ＨＭＤ）が知られている。例えば、特許文献１に開示のＨＭＤは、コントローラ、メインケーブル、及び表示装置を備える。コントローラは、Ａ／Ｖ入力端子、Ｓ映像入力端子、及びＲＧＢ入力端子等の複数の入力端子を備える。複数の入力端子には、夫々、異なる映像装置が接続される。複数の入力端子には、夫々、映像装置が生成した映像信号が入力される。表示装置は、メインケーブルを介してコントローラに接続される。表示装置は、複数の入力端子に入力される映像信号のうち何れかの映像信号を受け付け、映像を表示する。
【先行技術文献】
【特許文献】
【０００３】
【特許文献１】特開２００１−２３８１５０号公報
【発明の概要】
【発明が解決しようとする課題】
【０００４】
映像信号を処理するための複数の信号処理部を、複数の入力端子の夫々に対応してコントローラが備えることが考えられる。しかしながら、表示装置が映像を表示する場合、複数の信号処理部が何れも映像信号を処理可能な状態であると、消費電力が増加する可能性があった。
【０００５】
本発明の目的は、映像信号が入力される入力端子を複数備えつつ、消費電力を低減可能なヘッドマウントディスプレイ、表示制御装置、表示プログラム、及び表示方法を提供することである。
【課題を解決するための手段】
【０００６】
本発明の第１態様に係るヘッドマウントディスプレイは、デジタルの映像信号が入力される第１入力端子を有し、前記第１入力端子に入力された映像信号を処理する第１映像処理部と、アナログの映像信号が入力される第２入力端子を有し、前記第２入力端子に入力された映像信号を処理する第２映像処理部と、前記第１映像処理部及び前記第２映像処理部を、映像信号を処理可能な状態である第１稼働状態に設定する第１稼働手段と、前記第１稼働手段により前記第１映像処理部及び前記第２映像処理部が前記第１稼働状態に設定された場合、前記第１映像処理部及び前記第２映像処理部の少なくとも一方の映像処理部に、前記映像信号が入力されているかを判断する第１判断手段と、前記第１判断手段によって、前記映像信号が入力されているかが判断された場合、前記第１判断手段による判断結果に応じて、前記第１映像処理部及び前記第２映像処理部のうち何れか一方の映像処理部を、特定映像処理部に設定する設定手段と、前記第１映像処理部及び前記第２映像処理部のうち他方の映像処理部を、前記映像信号の処理を停止している状態である第１停止状態に設定する第１停止手段とを含む制御部と、頭部に装着可能であって、前記特定映像処理部から出力された前記映像信号に基づく映像を表示する表示ユニットとを備えることを特徴とする。
【０００７】
第１態様によれば、ヘッドマウントディスプレイは、映像信号が入力される入力端子として第１入力端子及び第２入力端子を備える。また、表示ユニットが、何れか一方の映像処理部が処理した映像信号の映像を表示する場合、他方の映像処理部は第１停止状態となる。他方の映像処理部が第１停止状態となることで、ヘッドマウントディスプレイが消費する電力は低減する。よって、ヘッドマウントディスプレイは、映像信号が入力される入力端子を複数備えつつ、消費電力を低減できる。
【０００８】
第１態様において、前記制御部は、さらに、前記第１稼働手段が前記第１映像処理部及び前記第２映像処理部を前記第１稼働状態に設定する前における前記第１映像処理部が、前記第１稼働状態であるかを判断する第２判断手段を含み、前記第１判断手段は、前記第２判断手段によって前記第１映像処理部が前記第１稼働状態でないと判断された場合、前記第１稼働手段が前記第１映像処理部及び前記第２映像処理部を前記第１稼働状態に設定してから第１所定時間が経過したときに、前記少なくとも一方の映像処理部に前記映像信号が入力されているかを判断し、前記第２判断手段によって前記第１映像処理部が前記第１稼働状態であると判断された場合、前記第１稼働手段が前記第１映像処理部及び前記第２映像処理部を前記第１稼働状態に設定してから第２所定時間が経過したときに、前記少なくとも一方の映像処理部に前記映像信号が入力されているかを判断し、前記第１所定時間は、前記第２所定時間よりも長くてもよい。この場合、デジタルの映像信号を処理する第１映像処理部が、第１入力端子を介して接続する映像装置と通信の接続を確立するために要する時間は、アナログの映像信号を処理する第２映像処理部が、第２入力端子を介して接続する映像装置と通信の接続を確立するために要する時間よりも長い。第１所定時間は第２所定時間よりも長いので、第１映像処理部が、第１入力端子と接続する映像装置と通信の接続を確立する前に、第１判断手段による判断がなされることが防止される。従って、ヘッドマウントディスプレイは、第１入力端子及び第２入力端子のうち少なくとも一方に映像信号が入力されているかを誤りなく判断できる。
【０００９】
第１態様において、前記第１停止手段は、前記設定手段によって前記何れか一方の映像処理部が前記特定映像処理部に設定されてから第３所定時間が経過したときに、前記他方の映像処理部を前記第１停止状態に設定してもよい。この場合、第１停止手段は、第３所定時間が経過するまで、他方の映像処理部を第１停止状態に設定しない。設定手段が、第１映像処理部及び第２映像処理部を、短時間の間に交互に特定映像処理部に設定し直す場合であっても、第１映像処理部及び第２映像処理部は、第３所定時間が経過するまでは第１停止状態になっていない。設定手段が特定映像処理部の設定を短時間の間にやり直した後であっても、表示ユニットは、特定映像処理部が第１停止状態から第１稼働状態に復帰するのを待つことなく、映像を表示できる。
【００１０】
第１態様において、前記制御部は、さらに、前記第１停止手段が前記他方の映像処理部を前記第１停止状態に設定する前に、前記設定手段によって設定された前記特定映像処理部を、前記何れか一方の映像処理部から前記他方の映像処理部に変更する変更手段を含み、前記第１停止手段は、前記変更手段が前記特定映像処理部を前記何れか一方の映像処理部から前記他方の映像処理部に変更する場合、前記他方の映像処理部を前記第１停止状態に設定しなくてもよい。変更手段による変更がなされる場合、第１停止手段は、他方の映像処理部を第１停止状態に設定しない。変更手段が、第１映像処理部及び第２映像処理部を、短時間の間に交互に特定映像処理部に変更し直す場合であっても、第１映像処理部及び第２映像処理部は第１停止状態になっていない。表示ユニットは、変更手段による変更がなされた後、特定映像処理部が第１停止状態から第１稼働状態に復帰するのを待つことなく、映像を表示できる。
【００１１】
第１態様において、前記表示ユニットは、前記映像を表示する表示部と、前記表示部を制御して、前記映像を前記表示部に表示させる表示制御部とを備え、前記制御部は、さらに、前記設定手段が前記何れか一方の映像処理部を前記特定映像処理部に設定する前に、前記表示制御部を、前記表示部の制御を停止している状態である第２停止状態に設定する第２停止手段と、前記設定手段が前記何れか一方の映像処理部を前記特定映像処理部に設定した後に、前記表示制御部を、前記表示部を制御可能な状態である第２稼働状態に設定する第２稼働手段とを備えてもよい。この場合、何れか一方の映像処理部が特定映像処理部に設定される前に、表示制御部は、第２停止状態となる。設定手段による特定映像処理部の設定に伴って、第１映像信号処理及び第２映像処理部の少なくとも一方が表示制御部に向けて送信する同期信号が、表示制御部に一定間隔からずれて入力される場合であっても、表示部が表示する映像が乱れることもない。よって、ヘッドマウントディスプレイは、設定手段による特定映像処理部の設定に伴って、表示部が表示する映像が乱れることを防止できる。
【００１２】
第１態様において、前前記表示ユニットは、入力される映像信号を処理する第３映像処理部を備え、前記特定映像処理部から出力された前記映像信号を処理し、前記第３映像処理部に対して、処理した前記映像信号及び同期信号を送信する第４映像処理部をさらに備え、前記制御部は、さらに、前記設定手段が前記一方の映像処理部を前記特定映像処理部に設定する前に、前記第４映像処理部を、前記同期信号の送信を停止している状態である第３停止状態に設定する第３停止手段と、前記設定手段が前記何れか一方の映像処理部を前記特定映像処理部に設定した後に、前記第４映像処理部を、前記同期信号を送信可能な状態である第３稼働状態に設定する第３稼働手段とを含んでもよい。この場合、何れか一方の映像処理部が特定映像処理部に設定される前に、第４映像処理部は、第３停止状態となる。従って、設定手段による特定映像処理部の設定に伴って、同期信号が第３映像処理部に入力されるタイミングが一定間隔からずれる場合であっても、ヘッドマウントディスプレイは第４映像処理部の誤動作を防止できる。
【００１３】
第１態様において、前記表示ユニットは、前記表示部、前記表示制御部、及び前記第３映像処理部を内蔵する第１筐体をさらに備え、前記第１映像処理部、前記第２映像処理部、及び前記第４映像処理部を内蔵する第２筐体と、前記第１筐体と前記第２筐体とを接続し、前記第３映像処理部が処理した映像信号を前記第４映像処理部に伝達するケーブルとをさらに備えてもよい。この場合、表示ユニットは、第１筐体とは別体の第２筐体に、第１映像処理部及び第２映像処理部が内蔵される。従って、ヘッドマウントディスプレイは、第２筐体とは別体の表示ユニットの構成を簡易化できる。
【００１４】
本発明の第２態様に係る表示制御装置は、デジタルの映像信号が入力される第１入力端子を有し、前記第１入力端子に入力された映像信号を処理する第１映像処理部と、アナログの映像信号が入力される第２入力端子を有し、前記第２入力端子に入力された映像信号を処理する第２映像処理部と、前記第１映像処理部及び前記第２映像処理部を、前記映像信号を処理可能な状態である第１稼働状態に設定する第１稼働手段と、前記第１稼働手段により前記第１映像処理部及び前記第２映像処理部が前記第１稼働状態に設定された場合、前記第１映像処理部及び前記第２映像処理部の少なくとも一方の映像処理部に、前記映像信号が入力されているかを判断する第１判断手段と、前記第１判断手段によって、前記映像信号が入力されているかが判断された場合、前記第１判断手段による判断結果に応じて、前記第１映像処理部及び前記第２映像処理部のうち一方の映像処理部を、頭部に装着可能であって、且つ入力される映像信号に基づく映像を表示する表示ユニットに出力するための映像信号を処理する特定映像処理部に設定する設定手段と、前記第１映像処理部及び前記第２映像処理部のうち他方の映像処理部を、前記映像信号の処理を停止している状態である第１停止状態に設定する第１停止手段とを含むことを特徴とする。第２態様によれば、第１態様と同様の効果を奏することができる。
【００１５】
本発明の第３態様に係る表示プログラムは、デジタルの映像信号が入力される第１入力端子を有し、前記第１入力端子に入力された映像信号を処理する第１映像処理部と、アナログの映像信号が入力される第２入力端子を有し、前記第２入力端子に入力された映像信号を処理する第２映像処理部とを備えた表示制御装置のコンピュータに、前記第１映像処理部及び前記第２映像処理部を、前記映像信号を処理可能な状態である第１稼働状態に設定する第１稼働ステップと、前記第１稼働ステップにより前記第１映像処理部及び前記第２映像処理部が前記第１稼働状態に設定された場合、前記第１映像処理部及び前記第２映像処理部の少なくとも一方の映像処理部に、前記映像信号が入力されているかを判断する第１判断ステップと、前記第１判断ステップによって、前記映像信号が入力されているかが判断された場合、前記第１判断ステップによる判断結果に応じて、前記第１映像処理部及び前記第２映像処理部のうち一方の映像処理部を、頭部に装着可能であって、且つ入力される映像信号に基づく映像を表示する表示ユニットに出力するための映像信号を処理する特定映像処理部に設定する設定ステップと、前記第１映像処理部及び前記第２映像処理部のうち、他方の映像処理部を、前記映像信号の処理を停止している状態である第１停止状態に設定する第１停止ステップとを実行させる。第３態様によれば、第１態様と同様の効果を奏することができる。
【００１６】
本発明の第４態様に係る表示方法は、デジタルの映像信号が入力される第１入力端子を有し、前記第１入力端子に入力された前記映像信号を処理する第１映像処理部と、アナログの映像信号が入力される第２入力端子を有し、前記第２入力端子に入力された前記映像信号を処理する第２映像処理部とを備えた表示制御装置によって実行される表示方法であって、前記第１映像処理部及び前記第２映像処理部を、前記映像信号を処理可能な状態である第１稼働状態に設定する第１稼働ステップと、前記第１稼働ステップにより前記第１映像処理部及び前記第２映像処理部が前記第１稼働状態に設定された場合、前記第１映像処理部及び前記第２映像処理部のうち少なくとも一方の映像処理部に、前記映像信号が入力されているかを判断する第１判断ステップと、前記第１判断ステップによって、前記映像信号が入力されているかが判断された場合、前記第１判断ステップによる判断結果に応じて、前記第１映像処理部及び前記第２映像処理部のうち一方の映像処理部を、頭部に装着可能であって、且つ入力される映像信号に基づく映像を表示する表示ユニットに出力するための映像信号を処理する特定映像処理部に設定する設定ステップと、前記第１映像処理部及び前記第２映像処理部のうち、他方の映像処理部を、前記映像信号の処理を停止している状態である第１停止状態に設定する第１停止ステップとを含むことを特徴とする。第４態様によれば、第１態様と同様の効果を奏することができる。
【図面の簡単な説明】
【００１７】
【図１】ＨＭＤ１の斜視図である。
【図２】図１のＩ−Ｉ線矢視方向断面図である。
【図３】ＨＭＤ１の電気ブロック図である。
【図４】第１停止状態設定処理のフローチャートである。
【図５】第１映像処理部８１に映像信号が入力される場合における、図４の続きのフローチャートである。
【図６】第２映像処理部８２に映像信号が入力される場合における、図４の続きのフローチャートである。
【発明を実施するための形態】
【００１８】
以下、本発明の一実施形態について、図面を参照して説明する。図１に示すヘッドマウントディスプレイ（Head Mounted Display、以下、ＨＭＤという。）１の概要を説明する。ＨＭＤ１は、光学透過型のシースルーＨＭＤである。ユーザの眼前の景色の光は、ハーフミラー５６を透過することによってユーザの眼に直接導かれる。ＨＭＤ１の投影形式は、虚像投影型である。
【００１９】
ＨＭＤ１は、第１映像処理部８１（図３参照）と、第２映像処理部８２を備える。第１映像処理部８１は、デジタルの映像信号が入力される入力端子９１を有する。第２映像処理部８２は、アナログの映像信号が入力される入力端子９２を有する。ＨＭＤ１は、第１映像処理部８１及び第２映像処理部８２の何れかを選択する。ＨＭＤ１は、選択した映像処理部が処理する映像信号に基づいて、映像の画像光を後述の液晶ディスプレイ（Liquid Crystal Display、以下ＬＣＤという。）７２に生成させる。ＨＭＤ１は、ＬＣＤ７２に画像光を生成させる場合、選択しなかった映像処理部を後述の第１停止状態に設定する。
【００２０】
ＨＭＤ１は、表示ユニット３０及び表示制御装置（以下、コントロールボックス又はＣＢという。）４０を備える。表示ユニット３０は、ユーザの頭部に着脱可能である。表示ユニット３０は、装着具８、接続具９、及びヘッドディスプレイ（以下、ＨＤという。）１０を備える。ＣＢ４０はＨＤ１０を制御する。以下、図の説明の理解を助けるため、ＨＭＤ１の上側、下側、左側、右側、前側、及び、後側を定義する。ＨＭＤ１の上側、下側、左側、右側、前側、及び、後側は、例えば、図１の上側、下側、左側、右側、左下側、及び、右上側にそれぞれ対応する。
【００２１】
＜装着具８、接続具９、ＨＤ１０＞
図１に示すように、装着具８は、樹脂や金属（例えば、ステンレス）などの、可撓性を有する材質で構成される。装着具８は、第１部材８Ａ及び一対の第２部材８Ｂを有する。第１部材８Ａ及び一対の第２部材８Ｂは、それぞれ、湾曲した細長い板状部材である。第１部材８Ａは、左右方向に延び、且つ、前側に凸状に湾曲する。一対の第２部材８Ｂの一方は、第１部材８Ａの一方側（例えば、左側）の端部の端部に設けられる。一対の第２部材８Ｂの他方は、第１部材８Ａの他方側（例えば、右側）の端部に設けられる。一対の第２部材８Ｂは、それぞれ、第１部材８Ａと接続する側と反対側（例えば、後側）の端部が互いに近づく方向に延びる。装着具８は、ユーザの前頭部、右側頭部、及び、左側頭部のそれぞれに、第１部材８Ａ、一対の第２部材８Ｂを接触させた状態で、ユーザの頭部に着用される。この状態で、第１部材８Ａはユーザの額に沿って左右方向に延びる。
【００２２】
接続具９は棒状である。接続具９は、樹脂や金属などで構成される。接続具９の一端側（例えば、上側）は、第１部材８Ａのうち右部に接続される。接続具９と装着具８とは、ボールジョイントで接続される。接続具９の他端側（例えば、下側）に、後述のＨＤ１０が接続される。接続具９とＨＤ１０とは、ボールジョイントで接続される。接続具９は、装着具８から離隔した位置にＨＤ１０を保持する。接続具９は、装着具８がユーザの頭部に着用された状態で、ＨＤ１０のハーフミラー５６を、ユーザの左眼の前方に配置させることができる。
【００２３】
ＨＤ１０は、筐体１２、接続インターフェイスコントローラ（以下、接続Ｉ/Ｆコントローラ）１７（図３参照）、ＬＣＤ７２（図３参照）、レンズユニット（図示略）、及び偏向ユニット５９を備えている。
【００２４】
筐体１２は、左右方向に延びる有底筒状である。筐体１２の左側部には開口部１２Ａが形成されている。筐体１２の右後部には、映像信号を伝達可能なケーブル７が接続される。接続Ｉ／Ｆコントローラ１７（図３参照）は、筐体１２の内部に設けられる。接続Ｉ／Ｆコントローラ１７は、ケーブル７が伝達する映像信号を受信する。
【００２５】
図２に示すように、ＬＣＤ７２は、筐体１２に内蔵される。ＬＣＤ７２は、制御基板７１、液晶パネル７２Ａ（図３参照）、ガラス基板７７、及び光源（図示略）を備える。
制御基板７１は、筐体１２の内部の右側に配置される。制御基板７１には、制御回路７２Ｂ（図３参照）が実装されている。制御回路７２Ｂは、接続Ｉ／Ｆコントローラ１７（図３参照）と接続している。液晶パネル７２Ａは、矩形状の周知の反射型液晶パネルであり、両側面が左右方向を向く。液晶パネル７２Ａは、制御回路７２Ｂが出力する制御信号を、フレキシブルプリント基板を介して受信することで、接続Ｉ／Ｆコントローラ１７が処理する映像信号に応じた映像を表示可能である。ガラス基板は、液晶パネルの左側面に設けられ、液晶パネル７２Ａの表示面を保護する。光源は、液晶パネル７２Ａに対して光を放つ位置に設けられる。光源からの光が液晶パネル７２Ａに入射し、液晶パネル７２Ａが入射した光を反射することで、画像光は生成される。生成された画像光は、ガラス基板を左側に透過する。
【００２６】
なお、本発明において、液晶パネルの代わりに、Digital Mirror Device（ＤＭＤ）、有機ＥＬ等の二次元表示装置が用いられてもよい。更に、２次元的に走査された光をユーザの網膜上に投影する網膜走査型の投影装置（Retinal Scanning Display）が用いられてもよい。
【００２７】
レンズユニット５３は、ＬＣＤ７２から射出された画像光を、レンズユニット５３の左側に配置された偏向ユニット５９に導くユニットである。レンズユニットは、左右方向に沿って配置された複数のレンズ５３２を有する。複数のレンズには、ＬＣＤ７２が生成した画像光が右側から入射する。複数のレンズは、画像光を屈折させ、左側に出射させる。
【００２８】
偏向ユニット５９は、筐体１２の開口部１２Ａに着脱可能に設けられている。偏向ユニット５９は、レンズユニット５３の左側に配置される。偏向ユニット５９は、ホルダ５及びハーフミラー５６を有する。ホルダ５は、筐体１２に着脱可能に装着されている。ホルダ５は、ハーフミラー５６を保持する。ハーフミラー５６は、レンズユニット５３が左方向へ向けて出射した画像光を、左方向と交差する後方向へ向けて反射可能である。ユーザの眼は、ハーフミラー５６によって後側に反射された画像光に基づいて、虚像を視認できる。又、ハーフミラー５６は、前側から入射した外界の光を後側に透過させることができる。
【００２９】
ハーフミラー５６は、例えば、透明な樹脂やガラスの基板上に、アルミや銀などの金属を所定の反射率（例えば５０％）となるように蒸着することで構成される。ホルダ５に保持された状態のハーフミラー５６の両面のうち一方の面は、右斜め後方を向き、他方の面は、左斜め前方を向く。ハーフミラー５６は、一方の面及び他方の面のそれぞれに入射した光の一部（例えば５０％）を反射させ、他部を透過させることができる。
【００３０】
なお、本発明において、上記のハーフミラー５６の代わりに、面５６Ｂに入射した画像光を後側に全反射させることが可能な反射部材が用いられてもよい。又、ハーフミラー５６の代わりに、プリズムや回折格子のような光路偏向部材が用いられてもよい。
【００３１】
＜ＣＢ４０＞
図１を参照し、ＣＢ４０を説明する。ＣＢ４０は、例えばユーザの腰ベルトや腕等に取り付けられる。ＣＢ４０は、ケーブル４１、４２のそれぞれを介して、規格が適合する任意の映像装置（図示略）と接続可能である。映像装置は、映像信号を出力可能な周知のＡＶ機器であり、一例として、診断装置、ＰＣ、ビデオ受像機、ビデオカメラ等が挙げられる。
【００３２】
ＣＢ４０は、筐体６３、操作部９６、ＬＥＤ９８、入力端子９１、９２等を主な構成要素とする。筐体６３は、ＨＤ１０の筐体１２とは別体の部材である。筐体６３は、ケーブル７を介して、筐体１２と接続する。筐体６３の形状は、縁部の丸い略直方体である。操作部９６は、ＨＤ１０における各種設定、使用時における各種操作、電源のオンオフを行うためのスイッチである。ＬＥＤ９８は、ＨＭＤ１の状態をユーザに通知するための発光素子である。
【００３３】
入力端子９１、９２は、それぞれ、映像信号を受信するための端子である。入力端子９１にはケーブル４１が着脱可能に接続される。入力端子９２にはケーブル４２が着脱可能に接続される。ケーブル４１は、入力端子９１と、入力端子９１と規格が適合する映像装置とを接続する。入力端子９１がケーブル４１を介して入力される映像信号は、例えば、複数の画像フレームのそれぞれに含まれる複数の画素のそれぞれのＲＧＢ値を示す、周知のデジタル信号である。デジタル信号は、例えば、ＤＶＩ映像信号、ＨＤＭＩ映像信号である。入力端子９１としては、例えば、ＤＶＩ端子、ＨＤＭＩ端子が用いられる。ケーブル４２は、入力端子９２と、入力端子９２と規格が適合する映像装置とを接続する。入力端子９２がケーブル４２を介して入力される映像信号は、例えば、同期信号及び輝度信号を含む周知のアナログ信号である。アナログ信号は、例えば、コンポジット映像信号、コンポーネント映像信号である。入力端子９２としては、例えば、コンポジット端子、コンポーネント端子、Ｓ端子、Ｄ端子が用いられる。以下、ケーブル４１を介して入力端子９１と接続する映像装置を第１映像装置（図示略）といい、ケーブル４２を介して入力端子９２と接続する映像装置を第２映像装置（図示略）という。
【００３４】
＜ＨＭＤ１の電気的構成＞
図３を参照し、ＨＭＤ１の電気的構成を説明する。はじめにＣＢ４０の電気的構成を説明する。ＣＢ４０は、ＣＰＵ３１を備える。ＣＰＵ３１は、フラッシュＲＯＭ３２、ＲＡＭ３３、周辺インターフェイス（以下、周辺Ｉ／Ｆという。）５８、電源回路７９、タイマ１８、第１映像処理部８１、第２映像処理部８２、セレクタ８３、入力バッファ８４、ＡＳＩＣ１０２、出力バッファ８５、出力制御部８６、及び接続インターフェイスコントローラ（以下、接続Ｉ／Ｆコントローラという。）８７と電気的に接続する。フラッシュＲＯＭ３２、ＲＡＭ３３、周辺Ｉ／Ｆ５８、電源回路７９、タイマ１８、第１映像処理部８１、第２映像処理部８２、セレクタ８３、入力バッファ８４、ＡＳＩＣ１０２、出力バッファ８５、出力制御部８６、及び、接続Ｉ／Ｆコントローラ８７は、それぞれ、筐体６３に内蔵される基板（図示略）上に実装される。
【００３５】
第１映像処理部８１及び第２映像処理部８２は、それぞれ、セレクタ８３と電気的に接続されている。セレクタ８３は入力バッファ８４に接続されている。入力バッファ８４及びＡＳＩＣ１０２は電気的に接続されている。出力バッファ８５は、ＡＳＩＣ１０２、及び出力制御部８６に電気的に接続される。接続Ｉ／Ｆコントローラ８７は、出力制御部８６と電気的に接続されている。
【００３６】
フラッシュＲＯＭ３２は、後述の停止状態設定処理をＣＰＵ３１が実行するためのプログラムを記憶する。プログラムは、ＨＭＤ１の出荷時にフラッシュＲＯＭ３２に記憶される。ＲＡＭ３３は各種データを一時的に記憶する。周辺Ｉ／Ｆ５８は、操作部９６及びＬＥＤ９８と電気的に接続されている。電源回路７９は、ＤＣジャック７４、外部電源コネクタ７５、及びバッテリ７６と電気的に接続されている。電源回路７９は、外部電源コネクタ７５を介して、モバイル型のバッテリ（図示略）と電気的に接続可能である。電源回路７９は、ＤＣジャック７４、外部電源コネクタ７５、及びバッテリ７６の何れかを介して供給される電力を、電源回路７９と電気的に接続する各種部材に供給可能である。タイマ１８は、計時したタイマ値をＣＰＵ３１に出力する。
【００３７】
第１映像処理部８１は入力端子９１を有する。第１映像処理部８１は、入力端子９１に入力されたデジタルの映像信号を復号する映像処理部である。第２映像処理部８２は入力端子９２を有する。第２映像処理部８２は、入力端子９２に入力されたアナログの映像信号をＡ／Ｄ変換する映像処理部である。
【００３８】
第１映像処理部８１及び第２映像処理部８２は、それぞれ、ＣＰＵ３１によって第１稼働状態と第１停止状態の何れかに設定される。第１映像処理部８１及び第２映像処理部８２は、それぞれ、第１稼働状態に設定されると、入力端子９１、９２に入力される映像信号を処理可能な状態となる。第１映像処理部８１及び第２映像処理部８２は、それぞれ、第１稼働状態に設定されると、所定の電力（以下、所定電力という）を消費する状態となる。第１映像処理部８１及び第２映像処理部８２は、それぞれ、第１停止状態に設定されると、入力端子９１、９２に入力される映像信号の処理を停止している状態となる。第１映像処理部８１及び第２映像処理部８２がそれぞれ第１停止状態に設定されると、第１映像処理部８１及び第２映像処理部８２のそれぞれが消費する電力は、所定電力よりも低下する。第１停止状態は、例えば、第１映像処理部８１及び第２映像処理部８２が有しているスリープ機能によって達成される。第１映像処理部８１及び第２映像処理部８２は、ＣＰＵ３１から、第１稼働状態又は第１停止状態に設定する指示を受信する。第１映像処理部８１及び第２映像処理部８２は、第１停止状態に設定する指示を受信すると、予め定められた所定の機能（例えば、映像信号を処理する機能）を行うブロックへの電源供給を停止することにより、第１停止状態に移行する。第１停止状態の第１映像処理部８１及び第２映像処理部８２は、第１稼働状態に設定する指示を受信すると、停止していた所定の機能を行うブロックへの電源供給を開始することにより、第１稼働状態に移行する。なお、第１映像処理部８１及び第２映像処理部８２の第１停止状態は、例えば、ＣＰＵ３１が、電源回路７９に対して、第１映像処理部８１及び第２映像処理部８２への電源供給を停止する指示を送信することによって達成されてもよい。この場合、第１映像処理部８１及び第２映像処理部８２の第１稼働状態への移行は、ＣＰＵ３１が、電源回路７９に対して、第１映像処理部８１及び第２映像処理部８２への電源供給を開始する指示を送信することで達成される。
【００３９】
セレクタ８３は、ＣＰＵ３１からの指示に応じて、第１映像処理部８１及び第２映像処理部８２の何れか一方の映像処理部を、ＨＤ１０が映像の画像光を生成するための映像信号を処理する映像処理部として選択する。以下、第１映像処理部８１及び第２映像処理部８２のうち、セレクタ８３が選択する何れか一方の映像処理部を特定映像処理部といい、セレクタ８３が選択しなかった何れか他方の映像処理部を他方の映像処理部という。セレクタ８３は、特定映像処理部が処理する映像処理部を受け付ける。入力バッファ８４は、セレクタ８３が受付けた特定映像信号のデータを記憶する。
【００４０】
ＡＳＩＣ１０２は、ＬＣＤ７２に表示させる映像の映像信号を生成するＡＳＩＣである。ＡＳＩＣ１０２は、例えば、入力バッファ８４が記憶する特定映像信号に対して、所定の映像を重畳する機能、所謂オンスクリーンディスプレイ（ＯＳＤ）を達成するためのものである。出力バッファ８５は、ＡＳＩＣ１０２が出力する映像信号を記憶する。ＡＳＩＣ１０２は、入力バッファ８４が記憶する特定映像信号をそのまま出力バッファ８５に出力することも可能である。出力制御部８６は、出力バッファ８５が記憶する映像信号を取得し、接続Ｉ／Ｆコントローラ８７に送信する。接続Ｉ／Ｆコントローラ８７は、取得した映像信号をシリアル変換する。接続Ｉ／Ｆコントローラ８７は、シリアル変換した映像信号を、ＨＤ１０の接続Ｉ／Ｆコントローラ１７にケーブル７を介して送信する。なお、接続Ｉ／Ｆコントローラ８７は、シリアル変換した映像信号の他に、接続Ｉ／Ｆコントローラ１７と同期をとるための同期信号を接続Ｉ／Ｆコントローラ１７に送信する。接続Ｉ／Ｆコントローラ８７は、外部（例えば、ＣＰＵ３１）からの指示によって、第３停止状態及び第３稼働状態の何れかに移行する機能を有する。第３停止状態に設定された場合、接続Ｉ／Ｆコントローラ８７は、接続Ｉ／Ｆコントローラ１７に対して同期信号の送信を停止している状態となる。第３稼働状状態に設定された場合、接続Ｉ／Ｆコントローラ８７は、接続Ｉ／Ｆコントローラ１７に対して同期信号を送信可能となる。接続Ｉ／Ｆコントローラ１７は、例えば、ＤＶＩ，ＨＤＭＩ（登録商標），Ｖ−ｂｙ−Ｏｎｅ（登録商標）など、所定の映像規格に従った信号処理（例えば、映像信号のシリアル化）を行うＩＣ回路である。
【００４１】
ＨＤ１０の電気的構成を説明する。ＨＤ１０は、接続Ｉ／Ｆコントローラ１７及びＬＣＤ７２を備える。接続Ｉ／Ｆコントローラ１７は、ＬＣＤ７２の制御回路７２Ｂと電気的に接続する。制御回路７２Ｂは、接続Ｉ／Ｆコントローラ１７に入力された映像信号に基づいて、液晶パネル７２Ａに映像の画像光を生成させる。制御回路７２Ｂは、外部（例えば、ＣＰＵ３１）からの指示によって、第２停止状態及び第２稼働状態の何れかに移行する機能を有する。第２停止状態に設定された場合、制御回路７２Ｂは、液晶パネル７２Ａの制御（例えば、液層素子への電圧印加、バックライトへの電源供給）を停止している状態となる。第２停止状態に設定された場合、ＬＣＤ７２は、画像光を生成しない。第２稼働状態に設定された場合、制御回路７２Ｂは、液晶パネル７２Ａを制御可能な状態となる。この場合、ＬＣＤ７２は、画像光を生成可能な状態となる。
【００４２】
なお、ＨＭＤ１は、図示外の無線通信部を更に備えてもよい。ＣＰＵ３１は、無線通信部を介してプログラムダウンロード用のサーバからプログラムをダウンロードし、フラッシュＲＯＭ３２に記憶してもよい。さらに、ＨＭＤ１は、ＣＰＵ３１とは異なる図示外のＣＰＵをＨＤ１０にさらに備えてもよい。この場合、ＨＤ１０のＣＰＵは、ＣＰＵ３１が実行する処理の一部を代わりに実行する。
【００４３】
＜停止状態設定処理＞
図４〜図６を参照し、ＣＢ４０のＣＰＵ３１により実行される停止状態設定処理を説明する。停止状態設定処理は、ＨＭＤ１が画像光をユーザに視認させる場合において、第１映像処理部８１及び第２映像処理部８２のうち、特定映像処理部とは異なる他方の映像処理部を第１停止状態に設定する処理である。ユーザは、第１映像装置を、ケーブル４１を介して入力端子９１と接続させ、第２映像装置を、ケーブル４２を介して入力端子９２に接続させる。ユーザは、表示ユニット３０（図１参照）を頭部に装着し、ＨＭＤ１の電源をオンにする。ＣＰＵ３１はフラッシュＲＯＭ３２に記憶されたプログラムに基づいて処理を開始する。これにより、停止状態設定処理は実行される。なお、ＨＭＤ１の電源がオンになっている間、第１映像処理部８１、第２映像処理部８２、接続Ｉ／Ｆコントローラ８７、接続Ｉ／Ｆコントローラ１７、及びＬＣＤ７２等のＣＢ４０及びＨＤ１０の内部にある各種の要素には、電源回路から所定の電圧が印加されている。また、ＣＰＵ３１が第１停止状態設定処理を実行する場合、ＬＣＤ７２には、画像光が生成されるために要する電力が電源回路７９から供給されており、接続Ｉ／Ｆコントローラ８７は、接続Ｉ／Ｆコントローラ１７に対して同期信号を送信している。
【００４４】
ＣＰＵ３１は、第１映像処理部８１及び第２映像処理部８２をそれぞれに対して、第１稼働状態に設定する指示を送信する（Ｓ１１）。ＣＰＵ３１は、第１映像処理部８１及び第２映像処理部８２のそれぞれに対して送信する信号のレベル（Ｈ／Ｌ）を、例えばＨｉｇｈにすることで、第１映像処理部８１及び第２映像処理部８２は、第１稼働状態となる。なお、ＣＰＵ３１が第１映像処理部８１及び第２映像処理部８２に向けて送信する信号のレベルをＬｏｗにすることで、第１映像処理部８１及び第２映像処理部８２が稼働状態になるようにＣＢ４０は構成されていてもよい。また、ＣＰＵ３１が電源回路７９に対して指示信号を送信し、電源回路７９が第１映像処理部８１及び第２映像処理８２に対して所定の電力供給を開始することで、第１映像処理部８１及び第２映像処理部８２は第１稼働状態となってもよい。
【００４５】
ＣＰＵ３１は、表示Ｆｌａｇが第１映像処理部８１であるか判断する（Ｓ１３）。表示Ｆｌａｇは、第１映像処理部８１及び第２映像処理部８２の何れか一方を示す情報であり、フラッシュＲＯＭ３２に記憶されている。表示Ｆｌａｇが第１映像処理部８１である場合、第１映像処理部８１は第１稼働状態である。表示Ｆｌａｇが第２映像処理部８２である場合、第１映像処理部８１は第１稼働状態ではない。ＨＭＤ１の電源がオンになる場合、表示Ｆｌａｇは、第２映像処理部８２に設定されている。
【００４６】
ＣＰＵ３１は、表示Ｆｌａｇが第２映像処理部８２であると判断した場合（Ｓ１３：ＮＯ）、第１所定時間Ｔ１が経過するまで待機し（Ｓ１５）、処理をＳ１９に進める。第１所定時間Ｔ１は、ＨＭＤ１の出荷時にフラッシュＲＯＭ３２に記憶される予め定められた時間である。第１所定時間Ｔ１は、第１稼働状態に設定された第１映像処理部８１が、電源がオンになっている第１映像装置と通信の接続を確立するために要する時間である。第１映像処理部８１は、入力端子９１に入力されるデジタルの映像信号を処理し、映像信号の周波数及び解像度等の解析を行うことで、第１映像装置との通信の接続を確立する。本実施形態では、第１所定時間Ｔ１は一例として１０秒である。
【００４７】
なお、第２映像処理部８２はアナログの映像信号を処理する映像処理部である。第１稼働状態に設定された第２映像処理部８２は、第２映像装置と通信の接続を確立させる場合、第１映像処理部８１が行う上記映像信号の解析を実行することはない。従って、第１稼働状態に設定された第２映像処理部８２が、電源がオンになっている第２映像装置と通信の接続を確立させるために要する時間は、第１所定時間Ｔ１よりも短い。従って、ＣＰＵ３１が第１所定時間Ｔ１が経過するまで待機すると、第２映像処理部８２も同様に、電源がオンになっている第２映像装置との通信の接続を確立できる。
【００４８】
ＣＰＵ３１は、第１映像処理部８１に映像信号が入力されているか判断する（Ｓ１９）。ＣＰＵ３１は、例えば、第１映像処理部８１に対して、映像信号が入力されているかを問い合わせる。ＣＰＵ３１は、この問い合わせに対する第１映像処理部８１からの応答に基づき、Ｓ１９の判断を行う。第１映像処理部８１が第１映像装置と通信の接続を確立させた後も入力端子９１に映像信号が入力されている場合、ＣＰＵ３１は第１映像処理部８１に映像信号が入力されていると判断する。ＣＰＵ３１は、第１映像処理部８１に映像信号が入力されていないと判断した場合（Ｓ１９：ＮＯ）、第２映像処理部８２に映像信号が入力されているか判断する（Ｓ２１）。ＣＰＵ３１は、例えば、第２映像処理部８２に対して、映像信号が入力されているかを問い合わせる。ＣＰＵ３１は、この問い合わせに対する第２映像処理部８２からの応答に基づき、Ｓ２１の判断を行う。例えば、第１映像装置の電源がオフであると、ＣＰＵ３１が第１所定時間Ｔ１待機しても（Ｓ１５）、第１映像処理部８１に映像信号が入力されない。
【００４９】
ＣＰＵ３１は、第２映像処理部８２に映像信号が入力されていないと判断した場合（Ｓ２１：ＮＯ）、処理をＳ２３に進める。例えば、第２映像装置の電源がオフであると、ＣＰＵ３１が第１所定時間Ｔ１待機しても（Ｓ１５）、第２映像処理部８２に映像信号が入力されない。ＣＰＵ３１は、ＬＣＤ７２の制御回路７２Ｂに対して、第２停止状態に設定する指示を送信する（Ｓ２３）。ＣＰＵ３１からの指示によって、制御回路７２Ｂは、液晶パネル７２Ａの制御を停止し、第２停止状態に移行する。
【００５０】
ＣＰＵ３１は、接続Ｉ／Ｆコントローラ８７に対して、第３停止状態に設定する指示を送信する（Ｓ２５）。ＣＰＵ３１からの指示によって、接続Ｉ／Ｆコントローラ８７は、同期信号の送信を停止し、第３停止状態に移行する。
【００５１】
ＣＰＵ３１は、ＬＣＤ７２に白画像の映像を表示させる設定を実行する（Ｓ２７）。ＣＰＵ３１は、ＡＳＩＣ１０２に白画像の映像信号を生成させるための各種設定値を、フラッシュＲＯＭ３２から読出し、ＲＡＭ３３に記憶する。
【００５２】
ＣＰＵ３１は、接続Ｉ／Ｆコントローラ８７に対して、第３停止状態から第３稼働状態に設定する指示を送信する（Ｓ２９）。接続Ｉ／Ｆコントローラ８７が第３稼働状態に設定されると、接続Ｉ／Ｆコントローラ８７は、接続Ｉ／Ｆコントローラ１７に対して同期信号を送信する状態となる。その後、ＣＰＵ３１は、制御回路７２Ｂに対して、第２停止状態から第２稼働状態に設定する指示を送信する（Ｓ３１）。例えば、ＣＰＵ３１は、ＲＡＭ３３に記憶した各種設定値を読み出すことで、ＡＳＩＣ１０２に対して、白画像を生成する指示信号を送信する。ＡＳＩＣ１０２は、フラッシュＲＯＭ３２から読み出したプログラムを実行することで、白画像の映像信号を生成し、出力バッファ８５に出力する。その後、ＡＳＩＣ１０２は、映像信号を生成したことを示す信号をＣＰＵ３１に送信する。ＡＳＩＣ１０２によって生成された映像信号は、出力バッファ８５に記憶される。出力制御部８６は、出力バッファ８５に記憶される映像信号を取得し、接続Ｉ／Ｆコントローラ８７に出力する。接続Ｉ／Ｆコントローラ８７は、入力された映像信号をシリアル変換し、接続Ｉ／Ｆコントローラ１７に対して送信する。この場合、接続Ｉ／Ｆコントローラ８７は、接続Ｉ／Ｆコントローラ１７に対して同期信号も併せて送信する。接続Ｉ／Ｆコントローラ１７は、入力された映像信号をパラレル変換し、制御回路７２Ｂに出力する。制御回路７２Ｂは、入力された映像信号に基づいて液晶パネル７２Ａを制御する。これにより、液晶パネル７２Ａは白画像の映像光を生成する。ＬＣＤ７２によって生成された画像光は、レンズユニット（図示略）、ハーフミラー５６を介してユーザの眼に射出される。ユーザは、白画像の画像光を視認することで、ＨＭＤ１が第１映像装置及び第２映像装置の何れにも通信の接続を確立していないことを認識できる。ＣＰＵ３１は処理をＳ１９に戻す。
【００５３】
ＣＰＵ３１は、第１映像処理部８１に映像信号が入力されていると判断した場合（Ｓ１９：ＹＥＳ）、ＬＣＤ７２に対して、を第２停止状態に設定する指示を送信する（Ｓ３３）。この結果、液晶パネル７２Ａに、白画像が表示されなくなる。ＣＰＵ３１は、接続Ｉ／Ｆコントローラ８７に対して、第３停止状態に設定する指示を送信する（Ｓ３５）。ＣＰＵ３１によって実行されるＳ３３及びＳ３５は、Ｓ２３及びＳ２５と同様である。
【００５４】
ＣＰＵ３１は、第１映像処理部８１を、特定映像処理部に設定する（Ｓ３７）。ＣＰＵ３１は、セレクタ８３に対して、第１映像処理部８１を選択させる指示を送信する。セレクタ８３は、第１映像処理部８１が処理する映像信号を受信可能な状態になる。セレクタ８３は、特定映像処理部である第１映像処理部８１が処理する映像信号を受け付ける。入力バッファ８４は、第１映像処理部８１が処理する映像信号を記憶する。さらに、ＣＰＵ３１は、ＡＳＩＣ１０２に、映像信号を生成する指示を送信する。ＡＳＩＣ１０２は、受信した映像信号を生成する指示に応じて、入力バッファ８４に記憶された映像信号を取得し、出力バッファ８５に出力する。出力バッファ８５は映像信号を記憶する。
【００５５】
ＣＰＵ３１は、接続Ｉ／Ｆコントローラ８７に対して、第３停止状態から第３稼働状態に設定する指示を送信する（Ｓ３９）。ＣＰＵ３１は、制御回路７２Ｂに対して、第２停止状態から第２稼働状態に設定する指示を送信する（Ｓ４１）。接続Ｉ／Ｆコントローラ８７は、出力バッファ８５に記憶される映像信号を取得し、接続Ｉ／Ｆコントローラ１７に出力する。制御回路７２Ｂは、接続Ｉ／Ｆコントローラ１７に入力された映像信号を取得し、取得した映像信号に基づいて、ＬＣＤ７２に画像光を生成させる。これにより、特定映像処理部である第１映像処理部８１が処理した映像信号の映像の画像光が生成される。生成された画像光は、レンズユニット（図示略）及びハーフミラー５６を介してユーザの左眼に向けて射出される。これにより、ユーザは、第１映像装置（図示略）の映像を視認できる。なお、ユーザが第１映像を視認している間において、第１映像処理部８１が処理する映像信号は、セレクタ８３、入力バッファ８４、ＡＳＩＣ１０２、出力バッファ８５、出力制御部８６、接続Ｉ／Ｆコントローラ８７、接続Ｉ／Ｆコントローラ１７、及び制御回路７２Ｂに送信される。この場合、第１映像処理部８１が出力する同期信号も、制御回路７２Ｂまで送信される。
【００５６】
ＣＰＵ３１は、フラッシュＲＯＭ３２に記憶される表示Ｆｌａｇを第１映像処理部８１に更新する（Ｓ４３）。
【００５７】
図５に示すように、ＣＰＵ３１は、タイマ１８に計時を開始させる（Ｓ４５）。ＣＰＵ３１は、タイマ１８のタイマ値（以下、タイマ値という。）が第３所定時間Ｔ３を超えたか判断する（Ｓ４７）。第３所定時間Ｔ３は、一例として２秒である。
【００５８】
ＣＰＵ３１は、タイマ値が第３所定時間Ｔ３を超えていないと判断した場合（Ｓ４７：ＮＯ）、第１映像処理部８１に映像信号が入力されているか判断する（Ｓ４９）。Ｓ４９における判断の方法は、Ｓ１９における判断の方法と同じである。ＣＰＵ３１は、第１映像処理部８１に映像信号が入力されていると判断した場合（Ｓ４９：ＹＥＳ）、入力される映像信号の切替指示が操作部９６になされたか判断する（Ｓ５１）。
【００５９】
ＣＰＵ３１は、映像信号の切替の指示が操作部９６に入力されなかったと場合した場合（Ｓ５１：ＮＯ）、処理をＳ５３に進める。例えば、入力端子９１と接続する第１映像装置の映像に代えて、入力端子９２と接続する第２映像装置の映像を視認することをユーザが所望しない場合、映像信号の切替の指示は入力されない。
【００６０】
ＣＰＵ３１は、ＨＭＤ１の電源をオフにする指示が操作部９６に入力されたか判断する（Ｓ５３）。ＣＰＵ３１は、電源オフの指示が操作部９６に入力されなかったと判断した場合（Ｓ５３：ＮＯ）、処理をＳ４７に戻す。ＣＰＵ３１は、タイマ値が第３所定時間Ｔ３を経過するまで（Ｓ４７：ＮＯ）、Ｓ４７〜Ｓ５３を繰り返し実行する。この間において、ＣＰＵ３１は、入力信号の切替え指示の入力を、操作部９６を介して受け付け可能である（Ｓ５１）。液晶パネル７２Ａには第１映像処理部が処理する映像信号の映像が表示されたままである。
【００６１】
ＣＰＵ３１は、タイマ値が第３所定時間Ｔ３を超えたと判断した場合（Ｓ４７：ＹＥＳ）、他方の映像処理部である第２映像処理部８２を第１停止状態に設定する（Ｓ５７）。ＣＰＵ３１が、第２映像処理部８２へ向けて送信する信号のレベル（Ｈ／Ｌ）を例えばＬｏｗに切り替えることで、第２映像処理部８２は第１停止状態となる。ＣＰＵ３１はタイマ値をリセットし（Ｓ５９）、処理をＳ４９に戻す。なお、ＣＰＵ３１が第２映像処理部８２に向けて送信する信号のレベルをＨｉｇｈに切り替えることで、第２映像処理部８２が停止状態になるようにＣＢ４０は構成されていてもよい。
【００６２】
ＣＰＵ３１は、再びＳ４９〜Ｓ５３を実行する。例えば、ＬＣＤ７２が映像を表示している間、第１映像処理部８１に映像信号が入力され（Ｓ４９：ＹＥＳ）、切替の指示が操作部９６に入力されず（Ｓ５１：ＮＯ）、電源ＯＦＦの指示が操作部９６に入力されない場合（Ｓ５３：ＮＯ）、ＣＰＵ３１は、タイマ値が第３所定時間Ｔ３を超えるまで（Ｓ４７：ＮＯ）、Ｓ４７〜Ｓ５３を実行する。
【００６３】
ＣＰＵ３１は、タイマ値が第３所定時間Ｔ３を超えたと判断した場合（Ｓ４７：ＹＥＳ）、再びＳ５７、Ｓ５９を実行する。ＣＰＵ３１が、第２映像処理部８２に向けて送信する信号のレベルがＬｏｗのままであるので、第２映像処理部８２は継続して第１停止状態となる（Ｓ５７）。このように、Ｓ４７〜Ｓ５９を繰り返し実行することで、ユーザが第１映像装置の映像を視認している間、他方の映像処理部である第２映像処理部８２は第１停止状態に設定される。
【００６４】
一方、ＣＰＵ３１は、第１映像処理部８１に映像信号が入力されなくなったと判断した場合（Ｓ４９：ＮＯ）、処理をＳ６９に進める。また、ＣＰＵ３１は、入力される映像信号の切替の指示が操作部９６に入力されたと判断した場合（Ｓ５１：ＹＥＳ）、処理をＳ６９に進める。例えば、第１映像装置の電源がオンからオフに切替わると、第１映像処理部８１に映像信号が入力されなくなる。また、第１映像装置の映像に代えて、第２映像装置の映像を視認することをユーザが所望する場合、映像信号の切替え指示が操作部９６に入力される。ＣＰＵ３１は、タイマ１８の計時を終了させ（Ｓ６９）、処理をＳ１１（図４参照）に戻す。
【００６５】
なお、この場合、第１映像処理部８１に映像信号が入力されなくなると（Ｓ４９：ＮＯ）、ＬＣＤ７２の液晶パネル７２Ａに映像が表示されなくなった状態で、ＣＰＵ３１は処理をＳ１１に戻す。一方、入力される映像信号の切替の指示が操作部９６に入力された場合（Ｓ５１：ＹＥＳ）、液晶パネル７２Ａには、映像が表示された状態で、ＣＰＵ３１は処理をＳ１１に戻す。
【００６６】
なお、タイマ値が第３所定時間Ｔ３を超える前に、第１映像処理部８１に映像信号が入力されなくなる場合がある。例えば、ＣＰＵ３１がタイマ１８に計時を開始させた直後に第１映像装置の電源がオンからオフになる場合がある。この場合、ＣＰＵ３１は、タイマ１８に計時を開始させ（Ｓ４５）、タイマ値が第３所定時間Ｔ３を超えていないと判断し（Ｓ４７：ＮＯ）、第１映像処理部８１に映像信号が入力されていないと判断する（Ｓ４９：ＮＯ）。ＣＰＵ３１は、Ｓ６９を実行して、処理をＳ１１（図４参照）に戻す。この場合、タイマ値が第３所定時間Ｔ３を超えていないので（Ｓ４７：ＮＯ）、ＣＰＵ３１は、Ｓ５７、Ｓ５９を実行することなく、処理をＳ１１に戻す。
【００６７】
また、タイマ値が第３所定時間Ｔ３を超える前に、ユーザが、第２映像装置の映像を視認することを所望し、入力される映像信号の切替え指示を操作部９６に入力する場合がある。この場合、ＣＰＵ３１は、タイマ１８に計時を開始させ（Ｓ４５）、タイマ値が第３所定時間Ｔ３を超えていないと判断し（Ｓ４７：ＮＯ）、第１映像処理部８１に映像信号が入力されていると判断し（Ｓ４９：ＹＥＳ）、映像信号の切替え指示が操作部９６に入力されたと判断する（Ｓ５１：ＹＥＳ）。ＣＰＵ３１は、Ｓ６９を実行して、処理をＳ１１（図４参照）に戻す。この場合、タイマ値が第３所定時間Ｔ３を超えていないので（Ｓ４７：ＮＯ）、ＣＰＵ３１は、Ｓ５７、Ｓ５９を実行することなく、処理をＳ１１に戻す。
【００６８】
なお、ユーザが、ＨＭＤ１の使用を終えることを所望する場合、操作部９６に電源オフの指示が入力する。ＣＰＵ３１は、ＨＭＤ１の電源をオフにする指示が操作部９６に入力されたと判断した場合（Ｓ５３：ＹＥＳ）、フラッシュＲＯＭ３２に記憶される表示Ｆｌａｇを第２映像処理部８２に更新し（Ｓ１３１）、第１停止状態設定処理を終了する。
【００６９】
次に、図４を参照し、Ｓ６９を実行したＣＰＵ３１が、処理をＳ１１に戻した後に実行する処理について説明する。以下の説明では、ＣＰＵ３１がＳ５７を実行し、第２映像処理部８２が第１停止状態であるとする。また、以下の説明では、ＣＰＵ３１は、第１映像処理部８１に映像信号が入力されていないと判断して（Ｓ４９：ＮＯ）、処理をＳ１１に戻した場合を例に説明する。また、第２映像処理部８２に映像信号が入力されている場合を例に説明する。
【００７０】
ＣＰＵ３１は、再度Ｓ１１を実行する。この場合、第１映像処理部８１は第１稼働状態のままであり、第２映像処理部８２は第１停止状態から第１稼働状態に設定される。ＣＰＵ３１は、再度Ｓ１３を実行する。表示Ｆｌａｇは、第１映像処理部８１に更新されている（Ｓ４３）。従って、ＣＰＵ３１は、表示Ｆｌａｇが第１映像処理部８１であると判断する（Ｓ１３：ＹＥＳ）。
【００７１】
ＣＰＵ３１は、第２所定時間Ｔ２が経過するまで待機し（Ｓ１７）、処理をＳ１９に進める。第２所定時間Ｔ２は、ＨＭＤ１の出荷時にフラッシュＲＯＭ３２に記憶される予め定められた時間である。第２所定時間Ｔ２は、第１稼働状態に設定された第２映像処理部８２が、電源がオンになっている第２映像装置と通信の接続を確立するために要する時間である。上述したように、第２映像処理部８２が第２映像装置と通信の接続を確立するために要する時間は、第１所定時間Ｔ１よりも短い。即ち、第２所定時間Ｔ２は、第１所定時間Ｔ１よりも短い。本実施形態では、第２所定時間Ｔ２は一例として２秒である。なお、第２映像装置の映像通信規格によっては、稼働状態に設定された第２映像処理部８２と、電源がオンの状態の第２映像装置とが互いに接続した直後に、通信の接続が確立される。この場合、第２所定時間Ｔ２は０秒となる。
【００７２】
ＣＰＵ３１は、再度、Ｓ１９及びＳ２１を実行する。ＣＰＵ３１は、第１映像処理部８１に映像信号が入力されていないと判断し（Ｓ１９：ＮＯ）、第２映像処理部８２に映像信号が入力されていると判断した場合（Ｓ２１：ＹＥＳ）、処理をＳ７３に進める。なお、ＣＰＵ３１は、入力される映像信号の切替え指示が操作部９６に入力されたと判断し（Ｓ５１：ＹＥＳ）、再度Ｓ１９を実行する場合、第１映像処理部８１に映像信号が入力されている場合であっても、例外的に処理をＳ２１に進める。
【００７３】
ＣＰＵ３１は、ＬＣＤ７２に対して、第２停止状態に設定する指示を送信する（Ｓ７３）。ＣＰＵ３１は、接続Ｉ／Ｆコントローラ８７に対して、第３停止状態に設定する指示を送信する（Ｓ７５）。ＣＰＵ３１によって実行されるＳ７３及びＳ７５は、Ｓ３３及びＳ３５と同様である。ＬＣＤ７２の液晶パネル７２Ａに映像が表示されている場合、液晶パネル７２Ａには映像が表示されなくなる。液晶パネル７２Ａに映像が表示されているのは、ＣＰＵ３１が、入力される映像信号の切替え指示が操作部９６に入力されたと判断し（Ｓ５１：ＹＥＳ）、処理をＳ１１に戻した場合である。
【００７４】
ＣＰＵ３１は、第２映像処理部８２を、特定映像処理部に設定する（Ｓ７７）。ＣＰＵ３１は、セレクタ８３に対して、他方の映像処理部であった第２映像処理部８２を選択させる指示を送信する。セレクタ８３は、第２映像処理部８２が処理する映像信号を受信可能な状態になる。セレクタ８３は、特定映像処理部である第２映像処理部８２が処理する映像信号を受け付ける。入力バッファ８４は、第２映像処理部８２が処理する映像信号を記憶する。ＡＳＩＣ１０２が入力バッファ８４に記憶される映像信号を取得してから、液晶パネル７２Ａに第２映像処理部８２が処理する映像信号の映像が表示されるまでの説明は、Ｓ３７と同様である。
【００７５】
なお、他方の映像処理部であった第２映像処理部８２が、特定映像処理部に設定されると、特定映像処理部であった第１映像処理部８１は、他方の映像処理部となる。セレクタ８３の選択の切替えに伴って、セレクタ８３と、第１映像処理部８１及び第２映像処理部８２との接続状態が切り替わる。ここで、接続Ｉ／Ｆコントローラ８７は、第３停止状態に設定されており（Ｓ７５）、接続Ｉ／Ｆコントローラ１７に向けて同期信号の送信を停止している。従って、セレクタ８３と、第１映像処理部８１及び第２映像処理部８２との接続状態が切り替わることに伴って、接続Ｉ／Ｆコントローラ８７から接続Ｉ／Ｆコントローラ１７に向けて送信される同期信号が、一定間隔からずれて接続Ｉ／Ｆコントローラ１７に入力されることはない。
【００７６】
ＣＰＵ３１は、接続Ｉ／Ｆコントローラ８７に対して、第３稼働状態に設定する指示を送信する（Ｓ７９）。ＣＰＵ３１からの指示によって、接続Ｉ／Ｆコントローラ８７は、第３停止状態から第３稼働状態に移行する。ＣＰＵ３１は、制御回路７２Ｂに対して、第２稼働状態に設定する指示を送信する（Ｓ８１）。ＣＰＵ３１からの指示によって、制御回路７２Ｂは、第２停止状態から第２稼働状態に移行する。ＬＣＤ７２の液晶パネル７２Ａには、第２映像処理部が処理する映像信号の映像が表示される。ＣＰＵ３１は、表示Ｆｌａｇを第１映像処理部８１に更新する（Ｓ８３）。ＣＰＵ３１によって実行されるＳ７９、Ｓ８１、及びＳ８３は、Ｓ３９、Ｓ４１、及びＳ４３と同様である。
【００７７】
図６に示すように、ＣＰＵ３１は、Ｓ８５〜Ｓ１１３を実行する。ここで、図６に示すフローチャートは、図５のＳ１３１に対応するステップを備えていないことと、図５に対応するステップがないＳ１１１、Ｓ１１３を備えていることを除いて、図５のフローチャートと対応する。即ち、Ｓ８５、Ｓ８７、Ｓ８９、Ｓ９１、Ｓ９３、Ｓ９７、Ｓ９９、Ｓ１０９は、それぞれ、Ｓ４５、Ｓ４７、Ｓ４９、Ｓ５１、Ｓ５３、Ｓ５７、Ｓ５９、Ｓ６９（図５参照）に対応する処理である。以下、説明が重複するステップについては、説明を簡略化する。
【００７８】
図６に示すように、ＣＰＵ３１は、タイマ１８に計時を開始させる（Ｓ８５）。ＣＰＵ３１がＳ８７〜Ｓ９３を繰り返し実行するのは、タイマ値が第３所定時間Ｔ３を超えず（Ｓ８７：ＮＯ）、第２映像処理部８２に映像信号が入力されており（Ｓ８９：ＹＥＳ）、入力される映像信号の切替指示が操作部９６になされず（Ｓ９１：ＮＯ）、ＨＭＤ１の電源をオフにする指示が操作部９６に入力されない場合である（Ｓ９３：ＮＯ）。
【００７９】
ＣＰＵ３１は、タイマ値が第３所定時間Ｔ３を超えた場合（Ｓ８７：ＹＥＳ）、第１映像処理部８１を第１停止状態に設定する（Ｓ９７）。ＣＰＵ３１は、タイマ値をリセットし（Ｓ９９）、処理をＳ８９に戻す。ユーザが第２映像装置の映像を視認している間、ＣＰＵ３１は、Ｓ８７〜Ｓ９９を繰り返し実行する。
【００８０】
ＣＰＵ３１は、第２映像処理部８２に映像信号が入力されない場合には（Ｓ８９：ＮＯ）、タイマ１８の計時を終了させる（Ｓ１０９）。また、ＣＰＵ３１は、入力される映像信号の切替え指示がなされた場合にも（Ｓ９１：ＹＥＳ）、タイマ１８の計時を終了させる（Ｓ１０９）。
【００８１】
ＣＰＵ３１は、第１映像処理部８１が第１停止状態であるか判断する（Ｓ１１１）。ＣＰＵ３１は、第１映像処理部８１が第１停止状態であると判断した場合（Ｓ１１１：ＹＥＳ）、表示Ｆｌａｇを第２映像処理部８２に更新し（Ｓ１１３）、処理をＳ１１（図４参照）に戻す。なお、ＨＭＤ１の電源をオフにする指示が操作部９６に入力された場合（Ｓ９３：ＹＥＳ）、ＣＰＵ３１は処理を終了する。
【００８２】
また、ＣＰＵ３１がタイマ１８に計時を開始させてから（Ｓ８５）、タイマ値が第３所定時間Ｔ３を超える前に（Ｓ８７：ＮＯ）、第２映像処理部８２に映像信号が入力されない場合（Ｓ８９：ＮＯ）、又は、入力される映像信号の切替え指示がなされる場合（Ｓ９１：ＹＥＳ）がある。この場合、ＣＰＵ３１は、Ｓ９７、Ｓ９９を実行することなく、処理をＳ１０９、Ｓ１１１に進める。ＣＰＵ３１は、第１映像処理部８１が第１停止状態ではないと判断し（Ｓ１１１：ＮＯ）、処理をＳ１１（図４参照）に戻す。この場合、ＣＰＵ３１がＳ９７を実行していないので、第１映像処理部８１は第１稼働状態であり（Ｓ１１）、表示Ｆｌａｇは第１映像処理部８１になっている（Ｓ８３）。
【００８３】
次に、図４を参照し、Ｓ８５〜Ｓ１１３を実行したＣＰＵ３１が、処理をＳ１１に戻した後に実行する処理について説明する。以下の説明では、ＣＰＵ３１がＳ９７を実行することで、第１映像処理部８１が第１停止状態である場合を例に説明する。
【００８４】
ＣＰＵ３１は、再度Ｓ１１を実行する。この場合、第１映像処理部８１は第１停止状態から第１稼働状態に設定され、第２映像処理部８２は第１稼働状態のままである。ＣＰＵ３１は、再度Ｓ１３を実行する。表示Ｆｌａｇは、第２映像処理部８２に更新されている（Ｓ１１３）。従って、ＣＰＵ３１は、第１所定時間Ｔ１待機する（Ｓ１３：ＮＯ、Ｓ１５）。第１停止状態から待機状態に設定された第１映像処理部８１は、第１映像装置との通信の接続を確立する。以下、ＣＰＵ３１は、上述したＳ１９〜Ｓ３１、Ｓ３３〜Ｓ６９、Ｓ１３１、又はＳ７３〜Ｓ１１３を実行する。
【００８５】
＜本実施形態の主たる作用・効果＞
以上、説明したように、ＨＭＤ１は、入力端子９１を有する第１映像処理部８１及び入力端子９２を有する第２映像処理部８２を備える。ＣＰＵ３１は、第１映像処理部８１及び第２映像処理部８２のうち、特定映像処理部が処理する映像信号の映像を、ＬＣＤ７２に表示させる（Ｓ４１、Ｓ８１）。この場合、ＣＰＵ３１は、他方の映像処理部を第１停止状態に設定する（Ｓ５７、Ｓ９７）。第１停止状態になった他方の映像処理部の消費電力量は、低減する。よって、ＨＭＤ１は、第１映像処理部８１及び第２映像処理部８２が何れも第１稼働状態で設定されたままＬＣＤ７２が映像を表示する場合と比べて、消費する電力を低減化できる。以上より、ＨＭＤ１は、入力端子９１、９２を備えつつ、消費電力を低減できる。特に、電源回路７９が、外部電源コネクタ７５を介してモバイル型のバッテリー（図示略）から電力を供給される場合、及び、電源回路７９がバッテリ７６から電力を供給される場合において、ＨＭＤ１が稼働できる時間は長くなる。
【００８６】
Ｓ６９又はＳ１０９を実行し処理をＳ１１に戻したＣＰＵ３１は、第１映像処理部８１及び第２映像処理部８２を、再度、第１稼働状態に設定し（Ｓ１１）、表示Ｆｌａｇが第１映像処理部８１かを判断する（Ｓ１３）。言い換えると、ＣＰＵ３１がＳ１３を実行することで、第１映像処理部８１及び第２映像処理部８２が第１稼働状態に再度設定される前において、第１映像処理部８１が、第１稼働状態であるかが判断される。第１映像処理部８１が、第１映像装置と通信の接続を確立するために要する時間は、第２映像処理部８２が、第２映像装置と通信の接続を確立するために要する時間よりも長い。ＣＰＵ３１は、表示Ｆｌａｇが第１映像処理部８１ではないと判断した場合（Ｓ１３：ＮＯ）、第２所定時間Ｔ２よりも長い第１所定時間Ｔ１待機した後（Ｓ１５）、第１映像処理部８１に映像信号が入力されているか判断する（Ｓ１９）。これにより、第１映像処理部８１が、第１映像装置と通信の接続を確立する前に、第１映像処理部８１に映像信号が入力されているかの判断がなされることはない。従って、ＨＭＤ１は、入力端子９１、９２のうち少なくとも一方に映像信号が入力されているかを誤りなく判断できる。
【００８７】
ＣＰＵ３１は、第１映像処理部８１及び第２映像処理部８２のうち、何れか一方を特定映像処理部に設定し（Ｓ３７、Ｓ７７）、第３所定時間Ｔ３を経過したときに（Ｓ４７：ＹＥＳ、Ｓ８７：ＹＥＳ）、他方の映像処理部を第１停止状態に設定する（Ｓ５７、Ｓ９７）。ＣＰＵ３１は、第３所定時間Ｔ３が経過するまでの間に（Ｓ４７：ＮＯ、Ｓ８７：ＮＯ）、入力される映像信号の切替え指示を受け付ける（Ｓ５１：ＹＥＳ、Ｓ９１：ＹＥＳ）。第３時間所定時間前に、入力される映像信号の切替え指示がなされ、他方の映像処理部が特定映像処理部に設定され直す場合であっても、第１映像処理部８１及び第２映像処理部８２は、共に稼働状態のままである。ＣＰＵ３１は、少なくとも、アナログの映像信号を処理する第１映像処理部８１が第１停止状態から第１稼働状態に復帰し、さらに第１映像装置と通信を確立する時間を待つ処理であるＳ１５を実行する必要がなくなる。従って、表示ユニット３０はすぐに映像を表示できる（Ｓ４１、Ｓ８１）。
【００８８】
また、ＣＰＵ３１は、第３所定時間Ｔ３が経過する前に（Ｓ４７：ＮＯ、Ｓ８７：ＮＯ）、入力される映像信号の切替え指示を受け付けた場合（Ｓ５１：ＹＥＳ、Ｓ９１：ＹＥＳ）、他方の映像処理部を第１停止状態に設定することなく処理をＳ１１に戻す。さらに、ＣＰＵ３１は、第１停止状態に設定しなかった他方の映像処理部を、特定映像処理部に変更する（Ｓ３７、Ｓ７７）。この場合、第１映像処理部８１は第１稼働状態であり、表示Ｆｌａｇは第１映像処理部８１に設定されている（Ｓ４３、Ｓ８３、Ｓ１１１：ＮＯ）。ＣＰＵ３１は、表示Ｆｌａｇが第１映像処理部８１であると判断し（Ｓ１３：ＹＥＳ）、第２所定時間Ｔ２待機する（Ｓ１７）。ＣＰＵ３１が第１所定時間Ｔ１よりも短い第２所定時間Ｔ２しか待機しなくても、Ｓ１１が実行される前から第１稼働状態であった第１映像処理部８１は、第１映像装置と通信の接続を確立できる状態となっている。ＣＰＵ３１は、第１所定時間Ｔ１待機することがない。表示ユニット３０は、特定映像処理部の再設定がなされた場合であっても、すぐに映像を表示できる（Ｓ４１、Ｓ８１）。
【００８９】
また、ＣＰＵ３１は、特定映像処理部を設定する前に（Ｓ３７、Ｓ７７）、接続Ｉ／Ｆコントローラ８７を第３停止状態に設定する（Ｓ３５、Ｓ７５）。セレクタ８３が、第１映像処理部８１及び第２映像処理部８２の何れか一方を選択するのに伴って、セレクタ８３と第１映像処理部８１及び第２映像処理部８２との接続状態が切り替わる場合がある。この場合に、接続Ｉ／Ｆコントローラ８７から、接続Ｉ／Ｆコントローラ１７に向けて送信される同期信号が、一定間隔からずれて接続Ｉ／Ｆコントローラ１７に入力されるのを防止できる。よって、ＨＭＤ１は、接続Ｉ／Ｆコントローラ８７の誤動作を防止できる。
【００９０】
また、ＣＢ５０が備える筐体６３には、第１映像処理部８１、第２映像処理部８２、接続Ｉ／Ｆコントローラ８７が内蔵される。表示ユニット３０のＨＤ１０が備える筐体１２には、液晶パネル７２Ａ、制御回路７２Ｂが実装された制御基板（図示略）、及び接続Ｉ／Ｆコントローラ１７が内蔵される。第１映像装置及び第２映像装置の映像の映像信号は、筐体６３に内蔵される各種部材で処理されてから、筐体６３とは別体の筐体１２に内蔵される接続Ｉ／Ｆコントローラ１７に、ケーブル７を介して送信される。従って、ＨＭＤ１は、第２筐体とは別体のＨＤ１０の構成を簡易化できる。
【００９１】
＜変形例＞
なお、本発明は上記実施形態に限定されず、種々の変更が可能である。ＣＰＵ３１は、ＬＣＤ７２の制御回路７２Ｂを第２停止状態及び第２稼働状態に設定しなくてもよい。この場合、ＣＰＵ３１は、Ｓ３３、Ｓ４１、Ｓ７３、Ｓ８１を実行しない。この場合であっても、ＣＰＵ３１は、第１映像処理部８１及び第２映像処理部８２の何れか一方を特定映像処理部に設定する前に（Ｓ３７、Ｓ７７）、制御回路７２Ｂを第２停止状態に設定する（Ｓ３３、Ｓ７３）。セレクタ８３の特定映像処理部の選択に伴って、セレクタ８３と第１映像処理部８１及び第２映像処理部８２との接続状態が切り替わる場合がある。この場合に、第１映像処理部８１及び第２映像処理部８２のそれぞれから送信され、且つ接続Ｉ／Ｆコントローラ８７、及び接続Ｉ／Ｆコントローラ１７を経由して制御回路７２Ｂに送信される同期信号が、一定間隔からずれて制御回路７２Ｂに入力されることを防止される。よって、ＨＭＤ１は、液晶パネル７２Ａが画像の乱れた画像光を生成するのを防止できる。
【００９２】
また、第１映像処理部８１及び第２映像処理部８２が、それぞれ第１停止状態に設定された場合、電源回路７９から第１映像処理部８１及び第２映像処理部８２のそれぞれに供給される電力は完全に遮断されてもよい。
【００９３】
また、上記実施形態では、ＣＰＵ３１は、第１映像処理部８１に映像信号が入力されているか判断した後に（Ｓ１９）、第２映像処理部８２に映像信号が入力されているか判断するが（Ｓ２１）、この判断の順番は逆であってもよい。また、ＣＰＵ３１は、接続Ｉ／Ｆコントローラ８７を第３停止状態に設定した後に、制御回路７２Ｂを第２停止状態に設定してもよい。
【００９４】
入力端子９１は、本発明の「第１入力端子」の一例である。入力端子９２は、本発明の「第２入力端子」の一例である。液晶パネル７２Ａは、本発明の「表示部」の一例である。制御回路７２Ｂは、本発明の「表示制御部」の一例である。接続Ｉ／Ｆコントローラ１７は、本発明の「第３映像処理部」の一例である。接続Ｉ／Ｆコントローラ８７は、本発明の「第４映像処理部」の一例である。筐体１２は、本発明の「第１筐体」の一例である。筐体６３は、本発明の「第２筐体」の一例である。Ｓ１１を実行するＣＰＵ３１は、本発明の「第１稼働手段」の一例である。Ｓ１９、Ｓ２１を実行するＣＰＵ３１は、本発明の「第１判断手段」の一例である。Ｓ３７、Ｓ７７を実行するＣＰＵ３１は、本発明の「設定手段」の一例である。Ｓ４７、Ｓ５７、Ｓ５１を実行するＣＰＵ３１、及び、Ｓ８７、Ｓ９７、Ｓ９１を実行するＣＰＵ３１は、本発明の「第１停止手段」の一例である。Ｓ１３を実行するＣＰＵ３１は、本発明の「第２判断手段」の一例である。Ｓ４７、Ｓ５１、Ｓ７７を実行するＣＰＵ３１、及び、Ｓ８７、Ｓ９１、Ｓ３７を実行するＣＰＵ３１は、それぞれ、本発明の「変更手段」の一例である。Ｓ３３、Ｓ７３を実行するＣＰＵ３１は、本発明の「第２停止手段」の一例である。Ｓ４１、Ｓ８１を実行するＣＰＵ３１は、本発明の「第２稼働手段」の一例である。Ｓ３５、Ｓ７５を実行するＣＰＵ３１は、本発明の「第３停止手段」の一例である。Ｓ３９、Ｓ７９を実行するＣＰＵ３１は、本発明の「第３稼働手段」の一例である。
【符号の説明】
【００９５】
１      ＨＭＤ
４０    ＣＢ
７    ケーブル
１２    筐体
１７    接続Ｉ／Ｆコントローラ
３０    表示ユニット
３１    ＣＰＵ
６３    筐体
７２Ａ    液晶パネル
７２Ｂ    制御回路
８１    第１映像処理部
８２    第２映像処理部
８７    接続Ｉ／Ｆコントローラ
９１    入力端子
９２    入力端子
Ｔ１    第１所定時間
Ｔ２    第２所定時間
Ｔ３    第３所定時間
【図１】
2016063275.tif 000003
【図２】
2016063275.tif 000004
【図３】
2016063275.tif 000005
【図４】
2016063275.tif 000006
【図５】
2016063275.tif 000007
【図６】
2016063275.tif 000008